(57)【要約】【課題】  外出時に化粧室などに備え付けられている大型の鏡などを使って、自然光に近い照明の下で両手を自由に使いながら化粧などの作業ができる持ち歩き可能な照明装置を提供する。【解決手段】  携帯可能な本体２と、本体２の前面側から白昼の自然光相当の色温度かつ平均演色評価数Ｒａが少なくとも９６の第一照明光が照射可能とされたＬＥＤ光源６とを備え、本体２を挟んで前面側とは反対側の背面側に、非磁性体の平面に着脱自在に吸着可能な面状吸着部材４が設けられている携帯型照明装置１とした。【選択図】図１
2019046598.tif 000002
【特許請求の範囲】
【請求項１】
携帯可能な本体と、
前記本体の前面側から白昼の自然光相当の色温度かつ平均演色評価数Ｒａが少なくとも９６の第一照明光が照射可能とされたＬＥＤ光源とを備え、
前記本体を挟んで前記前面側とは反対側の背面側に、非磁性体の平面に着脱自在に吸着可能な面状吸着部材が設けられている携帯型照明装置。
【請求項２】
前記本体は、前記面状吸着部材が設けられた底部と、当該底部に対して相対移動可能な操作部とを備え、
前記操作部を前記底部に対して相対移動させることにより前記ＬＥＤ光源が点灯するように構成されていることを特徴とする請求項１に記載の携帯型照明装置。
【請求項３】
携帯可能な本体と、
前記本体の前面側から第一照明光が照射可能とされたＬＥＤ光源とを備え、
前記本体を挟んで前記前面側とは反対側の背面側に、非磁性体の平面に着脱自在に吸着可能な面状吸着部材が設けられ、
前記本体は、前記面状吸着部材が設けられた底部と、当該底部に対して相対移動可能な操作部とを備え、
前記操作部を前記底部に対して相対移動させることにより前記ＬＥＤ光源が点灯するように構成されている携帯型照明装置。
【請求項４】
前記ＬＥＤ光源は、室内照明光相当の色温度かつ平均演色評価数Ｒａが少なくとも９６の第二照明光が前記本体の前面側から照射可能とされ、前記第一照明光と前記第二照明光とが個別に又は同時に選択可能に構成されていることを特徴とする請求項１に記載の携帯型照明装置。
【請求項５】
前記本体は、前記面状吸着部材が設けられた底部と、当該底部に対して相対移動可能な操作部とを備え、
前記操作部を前記底部に対して相対移動させることにより前記ＬＥＤ光源が点灯するように構成されており、
前記第一照明光と前記第二照明光とは、前記操作部を前記底部に対して相対移動させることにより個別に又は同時に選択可能とされていることを特徴とする請求項４に記載の携帯型照明装置。
【請求項６】
前記ＬＥＤ光源は、前記第一照明光とは色温度の異なる第二照明光が前記本体の前面側から照射可能とされ、前記第一照明光と前記第二照明光とは、前記操作部を前記底部に対して相対移動させることにより個別に又は同時に選択可能に構成されていることを特徴とする請求項３に記載の携帯型照明装置。
【請求項７】
前記操作部は、前記相対移動のために、前記底部を貫く軸線方向に移動可能とされ、前記操作部を前記底部に対して前記軸線方向に移動させることにより前記ＬＥＤ光源が点灯するように構成されていることを特徴とする請求項２、３、５、６のいずれかに記載の携帯型照明装置。
【請求項８】
前記操作部と前記底部との間には、直接的または間接的に付勢部材が介装され、当該付勢部材に抗した前記底部に向けての前記操作部の押し動作と、前記付勢部材による前記操作部の戻し動作とによる一連の動作による移動が可能に設けられていることを特徴とする請求項７に記載の携帯型照明装置。
【請求項９】
前記操作部は、前記相対移動のために、前記底部を貫く軸線周りに回転可能とされ、前記操作部を前記底部に対して前記軸線周りに回転させることにより前記ＬＥＤ光源が点灯するように構成されていることを特徴とする請求項２、３、５、６のいずれかに記載の携帯型照明装置。
【請求項１０】
前記本体は、前記軸線を回転の軸とした回転体の外形を有し、前記操作部は、少なくとも当該回転体の外周面に設けられていることを特徴とする請求項９に記載の携帯型照明装置。
【請求項１１】
前記ＬＥＤ光源は、ＬＥＤチップを有し、前記本体の前記ＬＥＤ光源の前面側には、前記ＬＥＤチップから照射される光を拡散させるディフューザが設けられていることを特徴とする請求項１から１０のいずれか一項に記載の携帯型照明装置。
【請求項１２】
請求項１から１１のいずれかに記載の携帯型照明装置を用いた人顔照明方法であって、鏡に映った使用者自身の顔の上のあたりの位置において前記携帯型照明装置を鏡面に吸着させ、そのまま吸着させた位置から動かさないようにして前記携帯型照明装置のＬＥＤ光源を点灯し、鏡に映った顔が見やすくなるように使用者自身の顔を照明する人顔照明方法。
【発明の詳細な説明】
【技術分野】
【０００１】
本発明は、特に化粧時に人顔を照明するために用いられて好適な携帯型照明装置に関する。
【背景技術】
【０００２】
外出時にレストラン等の化粧室で化粧直しなどをするとき、化粧用コンパクトに付いている小さな鏡ではなく、備え付けの大型鏡で顔全体の化粧の仕上がり具合を確かめながら化粧をしたいという要望がある。ところが、化粧室の照明はそもそも薄暗くて見えにくい上に、化粧室の室内照明光の下で化粧を行うと、自然光の下に出たときに見た目の色合いが変わり、自分の想像したような化粧に仕上がっていなかったという問題が存在する。例えば、市販の照明器具では平均演色評価数Ｒａが８０〜９０程度であるため、肌色（赤み）がきれいに出ない。そのため、そのような照明の下で化粧をすると、化粧がどうしても厚くなり過ぎる傾向にある。
【０００３】
自分で携帯型の照明器具（特許文献１，２）を持ち歩き、室内照明光とは別に自分専用の照明器具で顔を照明することも考えられるが、ある程度の明るさは得られても、やはり演色評価は高くなく、肌色が綺麗に出ないという問題には変わりがない。それでも仮に、演色評価の高い携帯型の照明器具が存在し、そのような照明器具を使って室内照明光の代わりに顔を照明しようとしても、通常手に持って使用する携帯型の照明器具では照明のためにどうしても片手が塞がれてしまう。すると、化粧用コンパクトを片手に持ちながら化粧をし、次に化粧用コンパクトを照明器具に持ち替えて化粧の仕上がり具合を確認するといったように、化粧用コンパクトと携帯型照明器具とを交互に持ち替えながら化粧をしなければならず、極めて使い勝手が悪い。しかも、照明器具を片手で持ちながら顔全体を照明するというのもなかなか難しい。
【先行技術文献】
【特許文献】
【０００４】
【特許文献１】特開２００７−３３５２２７号公報
【特許文献２】特開２０１４−１２０３７８号公報
【発明の概要】
【発明が解決しようとする課題】
【０００５】
本発明は、上述のような問題に鑑み、外出時に化粧室などに備え付けられている大型の鏡などを使って、明るい照明の下で、特には自然光に近い照明の下で両手を自由に使いながら化粧などの作業ができる持ち歩き可能な照明装置を提供することを目的とする。
【課題を解決するための手段】
【０００６】
この課題に対し、本発明は、携帯可能な本体と、本体の前面側から白昼の自然光相当の色温度かつ平均演色評価数Ｒａが少なくとも９６の第一照明光が照射可能とされたＬＥＤ光源とを備え、本体を挟んで前面側とは反対側の背面側に、非磁性体の平面に着脱自在に吸着可能な面状吸着部材が設けられている携帯型照明装置を提供する。
【０００７】
本発明の携帯型照明装置は、ＬＥＤ光源から白昼の自然光相当の色温度（本発明における「白昼の自然光相当の色温度」とは、色が正しく見える５０００〜６０００Ｋ、特に５５００〜５６００Ｋをいう。）かつＪＩＳ規格（ＪＩＳ  Ｚ  ８７２６）による平均演色評価数Ｒａが少なくとも９６の第一照明光が本体の前面側から照射可能とされているため、明るく、しかも白昼における屋外の自然光に近い光で顔を照明することができる。そして、背面側に設けられている面状吸着部材を用いて鏡などの非磁性体の平らな表面に着脱自在に吸着させることができる。そのため、本発明の携帯型照明装置をいったん鏡などの平らな表面に吸着固定させてしまえば、その後の照明時には携帯型照明装置を手に持つ必要がなく、例えば化粧などの作業に際して両手を自由に使うことができる。
【０００８】
ここで用いられる着脱自在の面状吸着部材は、例えば無数の小さな吸盤が表面に形成されたミクロ吸盤シート、対象面との間の空気を追い出して吸着するエポキシポリウレタン製などのシート、或いは貼着力が弱い接着剤が表面に塗布さることで貼付・剥離が自在の素材などを吸着表面側に有して構成されているが、これらに限定される必要はない。要するに、本発明において「着脱自在に吸着可能」とは、携帯型照明装置を非磁性体の表面に吸着させると、化粧などの所望の短時間作業の間、携帯型照明装置が非磁性体の表面に吸着固定された状態となり、作業後に携帯型照明装置を少し引張れば、吸着した表面に跡を残さず表面から簡単に取り外せることをいい、着脱自在の面状吸着部材は、そのような機能を発揮できればよい。
【０００９】
こうして、本発明の携帯型照明装置によれば、例えば、鏡に映った自分の顔の上側あたりに本発明の携帯型照明装置を吸着させると、顔全体を明るく、しかも白昼における屋外の自然光に近い光で照明しながら、両手を自由に使って白昼の屋外での見え方と同じ色の見え方で化粧をすることができる。
【００１０】
また、本発明において、本体は、面状吸着部材が設けられた底部と、当該底部に対して相対移動可能な操作部とを備え、操作部を底部に対して相対移動させることによりＬＥＤ光源が点灯するように構成されている。
【００１１】
このような構成としたことにより、面状吸着部材が設けられた底部側を鏡などの非磁性体の平らな表面に吸着させた後、片手だけを使うなどして、そのまま操作部を底部に対して相対移動させるとＬＥＤ光源が点灯するので、操作性が極めて良い。このような優れた操作性は、第一照明光が白昼の自然光相当の色温度でなくても利用することが可能である。
【００１２】
例えば、本発明において、操作部の底部に対する相対移動は、操作部を底部に向かって近接離間させる移動、特にプッシュ式の押し引き操作（例えばプッシュにより操作部を底部に押し付けた後、バネによる弾性力で再び元の位置に戻る操作を含む。）による移動とされている。
【００１３】
その一例として、操作部は、相対移動のために、底部を貫く軸線方向に移動可能とされ、操作部を底部に対して軸線方向に移動させることにより前記ＬＥＤ光源が点灯するように構成されている。特に、操作部と底部との間には、直接的または間接的に付勢部材が介装され、当該付勢部材に抗した底部に向けての操作部の押し動作と、付勢部材による操作部の戻し動作とによる一連の動作による移動が可能に設けられている。
【００１４】
このように、操作部を底部に向かって軸線方向に近接離間させる移動、特に付勢部材を用いたプッシュ式の押し・戻し操作によりＬＥＤ光源を点灯させる構成としたので、ボタンを押すような操作でＬＥＤ光源を点灯させることができ、操作性が極めて良い。
【００１５】
或いは、本発明において、操作部の底部に対する相対移動は、操作部を底部に対して回転させる移動とされている。
【００１６】
その一例として、操作部は、相対移動のために、底部を貫く軸線周りに回転可能とされ、操作部を底部に対して軸線周りに回転させることによりＬＥＤ光源が点灯するように構成されている。
【００１７】
このような構成としたことにより、面状吸着部材が設けられた底部側を鏡などの非磁性体の平らな表面に吸着させた後、そのまま操作部を底部に対して回転させるとＬＥＤ光源が点灯するので、操作性が極めて良い。また、プッシュ式の押し引き操作に比べると、鞄などの中に入れて携帯するときに、意図せず操作部を押すことでＬＥＤ光源が点灯してしまうことを防止することができる。
【００１８】
操作部を底部に対して回転させるために、例えば、本体は、軸線を回転の軸とした回転体の外形を有し、操作部は、少なくとも当該回転体の外周面に設けられている。
【００１９】
このような構成としたことにより、本体が軸線周りに外周面を有した構成となり、その外周面に設けられた操作部を把持して、例えばあたかもダイヤルを回転させるような感覚で底部に対して操作部を回転させることが可能となる。
【００２０】
また、本発明において、ＬＥＤ光源は、室内照明光相当の色温度かつ平均演色評価数Ｒａが少なくとも９６の第二照明光が本体の前面側から照射可能とされ、第一照明光と第二照明光とが個別に又は同時に選択可能に構成されている。
【００２１】
本発明の携帯型照明装置は、ＬＥＤ光源から室内照明光相当の色温度（本発明における「室内照明光相当の色温度」とは、電球から一般白色蛍光灯の色温度である２５００〜４０００Ｋ、特に白熱灯の色温度である３０００〜４０００Ｋ、なかんずく４０００Ｋをいう。）かつＪＩＳ規格（ＪＩＳ  Ｚ  ８７２６）による平均演色評価数Ｒａが少なくとも９６の第二照明光が本体の前面側から照射可能とされているため、明るく、しかも室内照明光に近く且つ肌色が綺麗に見える光で顔を照明することができる。例えば既に夜になっている場合、専ら室内照明に合わせて化粧直しをするときは、第二照明光を選択することによって室内照明に合った色合いで顔を照明することができる。したがって、本発明の携帯型照明装置によれば、明るく、しかも室内での見え方と同じ色の見え方で照明しながら両手を自由に使って化粧をすることができる。さらに、第一照明光と第二照明光を同時選択すれば、より明るく、しかも白昼における屋外の自然光と室内照明との中間あたりの色温度の光の下での色の見え方で照明しながら化粧をすることができる。
【００２２】
また、本発明において、本体は、面状吸着部材が設けられた底部と、当該底部に対して相対移動可能な操作部とを備え、操作部を底部に対して相対移動させることによりＬＥＤ光源が点灯するように構成されており、第一照明光と第二照明光とは、操作部を底部に対して相対移動させることにより個別に又は同時に選択可能とされている。
【００２３】
このような構成としたことにより、ＬＥＤ光源の第一照明光に対する点灯操作と同様の操作性が、ＬＥＤ光源の第一照明光に対する点灯操作だけでなく、ＬＥＤ光源の第二照明光に対する点灯操作および第一照明光と第二照明光の同時点灯操作に対しても得られる。
【００２４】
例えば、面状吸着部材が設けられた底部側を鏡などの非磁性体の平らな表面に吸着させた後、片手だけを使うなどして、そのまま操作部を底部に対して相対移動させると第一照明光と第二照明光とを個別に又は同時に選択できる。
【００２５】
また、本発明において、ＬＥＤ光源は、第一照明光とは色温度の異なる第二照明光が本体の前面側から照射可能とされ、第一照明光と第二照明光とは、操作部を底部に対して相対移動させることにより個別に又は同時に選択可能に構成されている。
【００２６】
第一照明光と第二照明光の色温度を、白昼の自然光相当の色温度や室内照明光相当の色温度に限ることなく、異なる色温度の組み合わせとした場合においても、面状吸着部材が設けられた底部側を鏡などの非磁性体の平らな表面に吸着させた後、片手だけを使うなどして、そのまま操作部を底部に対して相対移動させると第一照明光と第二照明光とを個別に又は同時に選択できるという優れた操作性が得られる。
【００２７】
また、ＬＥＤ光源は、ＬＥＤチップを有し、本体のＬＥＤ光源の前面側には、ＬＥＤチップから照射される光を拡散させるディフューザが設けられている。
【００２８】
このような構成としたことにより、本体を鏡などの非磁性体の平らな表面に吸着させたときに本体側の面と非磁性体側の面との面どうしの接触により本体の向きが固定されても、ＬＥＤ光源のＬＥＤチップから照射される光がディフューザにより全方向に均等に拡散されるので、本体の向きを調整することなく顔を均一に照明することができる。また、ＬＥＤ光源を直視することがないので眩しくなく、残像によりしばらく物が見えづらくなることもない。
【図面の簡単な説明】
【００２９】
【図１】本発明の携帯型化粧用ライト（携帯型照明装置）の斜め上方から視た分解斜視図である。
【図２】本発明の携帯型化粧用ライトの斜め下方から視た分解斜視図である。
【図３】本発明の携帯型化粧用ライトの斜め上方から視た斜視図である。
【図４】本発明の携帯型化粧用ライトの斜め下方から視た斜視図である。
【図５】本発明の携帯型化粧用ライトの正面図である。
【図６】本発明の携帯型化粧用ライトの背面図である。
【図７】ＬＥＤ基板上におけるＬＥＤ光源のための回路図である。
【図８】ＬＥＤ光源が消灯しているときの板バネと電極ピンの位置関係を示す図である。
【図９】ＬＥＤ光源の室内光用ＬＥＤチップ（第二照明光のＬＥＤ光源）が点灯しているときの板バネと電極ピンの位置関係を示す図である。
【図１０】ＬＥＤ光源の白昼光用ＬＥＤチップ（第一照明光のＬＥＤ光源）が点灯しているときの板バネと電極ピンの位置関係を示す図である。
【図１１】ＬＥＤ光源の室内光用ＬＥＤチップ及び白昼光用ＬＥＤチップの両方が点灯しているときの板バネと電極ピンの位置関係を示す図である。
【発明を実施するための形態】
【００３０】
（概略構成）
図１乃至６は、本発明の携帯型化粧用ライト１（携帯型照明装置）を示す。携帯型化粧用ライト１は、片手に載る程度の大きさの扁平な回転体としての略円柱状（直径約４０ｍｍ、高さ約２０ｍｍ）の本体２と、本体２の前面側から照明光を照射することのできるＬＥＤ光源６とを有している。そして、本体２を挟んで前面側とは反対側の背面側には、鏡などの非磁性体の平らな面に着脱自在に吸着可能な吸着シート４（面状吸着部材）が設けられている。
【００３１】
（本体）
本体２は、全体高さの３分の２程度の高さを占める前面側の操作部２１と、背面側の底部２４とから構成されている。操作部２１と底部２４とは、いずれも断面略コ字状とされており、開放された側の円形の端面同士を突き合わせると、内部にＬＥＤ光源６や当該ＬＥＤ光源６のための後述の電源部８等を収納するための収納空間を画成するように形成されている。
【００３２】
（操作部）
本体２の前面側の操作部２１は、その外周面から前面にかけての部分に、手に馴染み易くするための、外周面から前面へと滑らかに移行する面取りされた略円錐台の周面が形成されている。そして、略円柱状の操作部２１の外周面には、操作部２１を把持しながらの後述の回転操作を行い易くするためのグリップ２２が外周面より内側に凹むようにして刻設されている。また、操作部２１の内周面には、操作部２１の開放側の端面を底部２４の端面に突き合わせたときに、底部２４に係合させるための、内方に突出する掛止爪２３が略内周を一周するようにして突設されている。
【００３３】
（ディフューザ）
他方、操作部２１の前面（本体２の前面でもある。）には、すり鉢状の傾斜面を介してやや奥まった位置に、ＬＥＤ光源６からの照明光が出射するための略８字形、より具体的には二つの扇子を要の部分で突き合わせたような形状の開口部２８が形成されており、この開口部２８にＬＥＤ光源６からの照明光を等方に拡散させるためのディフューザ１０が嵌合されている。このディフューザ１０は、前面から奥まった位置に設けられていることで、その汚れ防止が図られているとともに、落下時等に衝撃が直接加わらないように保護されている。
【００３４】
（底部）
本体２の背面側の底部２４は、その外周面から背面にかけての部分に、やはり手に馴染み易くするための、外周面から背面へと滑らかに移行する面取りされた、前面側に比べるとやや幅狭の略円錐台の周面が形成されている。この円錐台の周面の周方向の所定位置には、円錐台の周面から潜り込んで底部２４の中実部分を潜って直上の外周面に出るストラップ取付穴２７が、底部２４の中実部分を刳り貫くようにして穿設されている。そして、底部２４の背面（本体２の背面でもある。）には、吸着シート４をその厚さの半分程度収納する凹部が設けられており、吸着シート４を接着するための接着剤がその内底面に塗布できるようになっている。また、底部２４の操作部２１側の内底面には、周方向に均等に複数の爪受部２５が突設されている。これらの爪受部２５は、操作部２１と底部２４とを突き合わせるときに、爪受部２５の先端の外方に突出した鉤の部分が、操作部２１の内周面における内方に突出した掛止爪２３により底部２４の内側に押されて、爪受部２５の全体が内側に向かって撓み、その後、掛止爪２３が爪受部２５の先端の鉤を乗り越えると、爪受部２５が自身の弾発力により元の形状に戻って、爪受部２５の先端の鉤の部分と、操作部２１の掛止爪２３とが互いに係合するようになっている。爪受部２５の少なくとも一つには、鉤の部分の下方かつ掛止爪２３に当たらない位置に回転止め２６が設けられている。他方、掛止爪２３の所定の周位置には、掛止爪２３の底部２４側の面から延出する不図示の当接部が設けられており、操作部２１を底部２４に係合させた状態で回転させていくと、爪受部２５側の回転止め２６に掛止爪２３側の当接部が当接して回転が止まるように構成されている。この回転止め２６を用いて、操作部２１の後述の回転操作によるＬＥＤ光源６の操作の際に、ちょうどＬＥＤ光源６が消灯する位置においてそれ以上のオフ回転方向（本体２を操作部２１側から視て軸線周りに反時計回りの方向）への回転が阻止される一方、ＬＥＤ光源６が全灯する位置においてそれ以上のオン回転方向（本体２を操作部２１側から視て時計回りの方向）への回転が阻止されるようになっている。
【００３５】
（吸着シート）
吸着シート４（面状吸着部材）は、エポキシポリウレタン製の円形のシートからなり、底部２４の背面に形成された凹部に嵌め込まれるようにして接着されている。この吸着シート４は、当該吸着シート４の側が鏡の平らな表面に接触するようにして携帯型化粧用ライト１を鏡に取り付けると、吸着シート４と鏡の表面との間の空気を追い出し、吸盤のように鏡の表面に吸着するように構成されている。そのため、吸着シート４により携帯型化粧用ライト１が鏡に貼り付き、携帯型化粧用ライト１から手を放しても携帯型化粧用ライト１が鏡から落ちない。また、本体２を少し引張ることで、吸着シート４の吸着状態を解除し、携帯型化粧用ライト１を鏡の表面から再び取り外すことができる。
【００３６】
（電源部）
ＬＥＤ光源６を点灯させるための電源部８は、底部２４の内底面から凹むように形成された収納凹部に収められる矩形のバッテリー８１と、バッテリー８１よりも操作部２１側に配置される略円板状のバッテリー充電基板８２とを備え、バッテリー８１とバッテリー充電基板８２との間にクッション性のある絶縁スポンジ８３を介在させた状態でバッテリー充電基板８２を底部２４の内底面に立設したネジ固定部２９のネジ孔にネジ固定することで、バッテリー８１を底部２４とバッテリー充電基板８２との間で挟持固定する構成とされている。
【００３７】
バッテリー充電基板８２のバッテリー８１側の面には、バッテリー８１を外部電源により充電するための充電回路部８４と当該充電回路部８４に接続された充電用外部接続端子としての充電用マイクロＵＳＢ８５とが実装されており、底部２４の端面の一部を切り欠くようにして形成された切欠部８７に底部２４の外周面と面一になるようにして充電用マイクロＵＳＢ８５の端部が収められるように構成されている。このような構成とされたことにより、バッテリー８１の消耗が進むと、例えばＰＣのＵＳＢポートや、ＵＳＢのＡＣアダプタなどからＵＳＢケーブルを充電用マイクロＵＳＢ８５に接続することで、バッテリー８１の再充電を行なうことができる。
【００３８】
また、バッテリー充電基板８２の操作部２１側の面には、略円柱状とされた本体２の軸線（回転体の軸線）が通るバッテリー充電基板８２の中心を挟んで略対称な位置に一対の板バネ電極８６，８６が配置されており、これらの板バネ電極８６，８６にバッテリー８１の陽極と陰極から延びた不図示の配線がそれぞれ接続されている。板バネ電極８６，８６は、バッテリー充電基板８２に固定された基端から先端に向けて、上記オフ回転方向（本体２を操作部２１側から視て軸線周りに反時計回りの方向）に延在するように形成されており、その先端部分には、外方に膨らむように形成された屈曲部を有している。そして、板バネ電極８６，８６は、その先端が基端よりも内側に位置することによって、後述するＬＥＤ光源６側の電極ピンＴ１〜Ｔ８を上記屈曲部に収めつつ自身の弾発力により電極ピンＴ１〜Ｔ８を保持する構成とされている。
【００３９】
（ＬＥＤ光源）
ＬＥＤ光源６は、ＬＥＤ基板６１と、ＬＥＤ基板６１上の、本体２の略８字形開口部２８の大きく開いた２か所の部分からそれぞれ見える位置に実装された白昼光用ＬＥＤチップ６２（第一照明光のＬＥＤ光源）及び室内光用ＬＥＤチップ６３（第二照明光のＬＥＤ光源）と、白昼光用ＬＥＤチップ６２及び室内光用ＬＥＤチップ６３に電力を供給するための配線部６４（図１乃至６において不図示）と、電源部８の板バネ電極８６に接触する電極ピンＴ１〜Ｔ８とを備えている。
【００４０】
ＬＥＤ光源６の白昼光用ＬＥＤチップ６２は、白昼の自然光相当の色温度（５６００Ｋ）で平均演色評価数Ｒａが９６の照明光（第一照明光）を照射することができる。この白昼光用ＬＥＤチップ６２は、使用目的が特に限定されていない市販のＬＥＤチップの中から本発明の用途に適したものを選択した。他方、室内光用ＬＥＤチップ６３は、室内照明光相当の色温度（４０００Ｋ）で平均演色評価数Ｒａが９６の照明光（第二照明光）を照射することができる。この室内光用ＬＥＤチップ６３は、使用目的が特に限定されていない市販のＬＥＤチップの中から本発明の用途に適したものを選択した。白昼光用ＬＥＤチップ６２及び室内光用ＬＥＤチップ６３は、バッテリーの寿命を考慮してディフューザ１０を通したときに３００ルクスの明るさが得られるようにしたが、バッテリーの寿命、性能その他の条件を考慮して、もっと明るくなるような設定ももちろん可能である。
【００４１】
ＬＥＤ基板６１の底部２４側には、操作部２１を底部２４に対して回転していくと、電源部８の板バネ電極８６に漸次接触していく複数の電極ピンＴ１〜Ｔ８が周方向に等間隔に立設されている。これらの電極ピンＴ１〜Ｔ８は、操作部２１を底部２４に対して回転していくと、Ｔ１とＴ５、Ｔ２とＴ６、Ｔ３とＴ７、Ｔ４とＴ８とがそれぞれ対となって一対の板バネ電極８６の先端部分の屈曲部に収まるようにして接触する。
【００４２】
電極ピンＴ１〜Ｔ８と、白昼光用ＬＥＤチップ６２（第一照明光のＬＥＤ光源）及び室内光用ＬＥＤチップ６３（第二照明光のＬＥＤ光源）との間には、これらの間を接続する図１乃至６に不図示の配線部６４が実装されている。図７は、電極ピンＴ１〜Ｔ８、白昼光用ＬＥＤチップ６２及び室内光用ＬＥＤチップ６３及び配線部６４の関係を示す回路図である。この配線部６４により、電極ピンＴ１〜Ｔ４のいずれかが一方の板バネ電極８６に接触し、電極ピンＴ５〜Ｔ８のいずれかが他方の板バネ電極８６に接触する。そして、操作部２１の底部２４に対する所定の回転位置で電極ピンＴ１が一方の板バネ電極８６に接触するとともに電極ピンＴ５が他方の板バネ電極８６に接触すると、白昼光用ＬＥＤチップ６２及び室内光用ＬＥＤチップ６３のいずれにも電力が供給されず、いずれのＬＥＤチップも発光しない。従って、この回転位置がＬＥＤ光源６の消灯位置である（図８参照）。次に、本体２を操作部２１側から視て時計回りに（オン回転方向に）４５°だけ操作部２１を底部２４に対して回転させると、電極ピンＴ２が一方の板バネ電極８６に接触するとともに電極ピンＴ６が他方の板バネ電極８６に接触し、室内光用ＬＥＤチップ６３が点灯状態となって室内照明光相当の照明光を照射する（図９参照）。続いて、操作部２１を底部２４に対してさらにオン回転方向に４５°だけ回転させると、電極ピンＴ３が一方の板バネ電極８６に接触するとともに電極ピンＴ７が他方の板バネ電極８６に接触し、白昼光用ＬＥＤチップ６２が点灯状態となって白昼における屋外の自然光相当の照明光を照射する（図１０参照）。さらに操作部２１を底部２４に対してオン回転方向に４５°だけ回転させると、電極ピンＴ４が一方の板バネ電極８６に接触するとともに電極ピンＴ８が他方の板バネ電極８６に接触し、今度は、それぞれ配線部６４のダイオードＤ１、Ｄ２を介して白昼光用ＬＥＤチップ６２及び室内光用ＬＥＤチップ６３の両方が点灯状態となって、いずれもが発光する全灯状態となる（図１１参照）。
【００４３】
（動作態様）
このように、本発明の携帯型化粧用ライト１は、背面側に設けられている吸着シート４により鏡面に着脱自在に吸着させることができる。例えば、外出時にレストラン等の化粧室で、鏡に映った自分の顔の上側のあたりに吸着させることができる。そして、そのまま片手で操作部２１のグリップ２２の部分を把持して底部２４に対してダイヤルを回すようにして操作部２１を時計回りに（オン回転方向に）４５°回転させると、先ず室内光用ＬＥＤチップ６３が点灯し、例えば既に夜になっているとき、室内の照明光に近い色合いが出る照明光（色温度４０００Ｋ）で顔全体が明るく照らされ、専ら室内照明に合わせて室内モードで化粧直しをすることができる。日中これから外を出歩く必要があるのであれば、操作部２１を底部２４に対してオン回転方向にさらに４５°回転させる。すると今度は白昼光用ＬＥＤチップ６２が点灯し、白昼における屋外の自然光に近い照明光（色温度５６００Ｋ）で顔全体が明るく照らされ、白昼の屋外での見え方と同じ色の見え方で化粧をすることができる。操作部２１を底部２４に対してさらにオン回転方向に４５°回転させると、白昼光用ＬＥＤチップ６２及び室内光用ＬＥＤチップ６３の両方が点灯し、午後における屋外の自然光に近い照明光（色温度約５０００Ｋ）で顔全体がさらに明るく照らされ、昼下がりにおける屋外での見え方と同じ色の見え方で化粧をすることができる。このとき、操作部２１側の当接部が底部２４側の回転止め２６に当接してそれ以上は操作部２１を時計回りに（オン回転方向に）回転させることができない。そして最後に化粧が終わったら、今度は反時計回りに（オフ回転方向に）操作部２１を底部２４に対して回転させる。最初の回転位置に戻ったときに操作部２１側の他の当接部が底部２４側の回転止め２６に当接してそれ以上のオフ回転方向の回転が阻止され、ＬＥＤ光源６は消灯した状態となる。
【００４４】
（効果）
本発明の携帯型化粧用ライト１は、鏡面にいったん吸着させてしまえば、その後の照明時には携帯型化粧用ライト１を手に持つ必要がなく、化粧をするときに両手を自由に使うことができ、片手に化粧用コンパクトを持ちながら化粧をする間、常に化粧室に備え付けの大型の鏡を見ながら化粧の全体的な仕上がり具合を確認することができる。そして、ＬＥＤ光源６の白昼光用ＬＥＤチップ６２と室内光用ＬＥＤチップ６３とを個別に又は同時に選択することによって、白昼における屋外の自然光から室内光の下での見え方と同じ条件を必要に応じて選択して明るい照明の下で化粧をすることができる。しかも、そのとき携帯型化粧用ライト１を鏡に吸着させてそのままダイヤルを回転させるような感覚で照明光を点灯ないし選択できるので操作性が極めて高い。また、携帯型化粧用ライト１は、ディフューザ１０を通して３００ルクス程度の所定の明るさで顔全体をまんべんなく明るく照らすので、化粧にムラも出ない。しかも、ＬＥＤ光源６を直接見ることがないので、眩しくない。
【００４５】
（他の実施態様）
なお、上記の実施例では、ＬＥＤ光源が２種類の色温度の照明光を照射するものとしたが、専ら１種類の色温度の照明光を照射するものでもよいし、その色温度の選択は、用途に応じて任意であって構わない。上記の実施例では、白昼の自然光相当の色温度として５６００Ｋ（東京における真夏の正午頃の色温度が約５５００Ｋ）を選択したが、色を正しくみるための色温度は５０００〜６０００Ｋであり、白昼の自然光相当の色温度の選択には幅がある。また、正午頃の色温度に限らず、夕方頃の自然光相当の色温度（３０００Ｋ程度）その他の色温度を選択してもよい。
【００４６】
逆に、ＬＥＤ光源の照明光の色温度は、２種類に限らず、複数種類選択してもよい。例えば、異なる色温度のＬＥＤチップを３個以上搭載し、それらを回転操作で漸次個別または複数同時に選択する構成としてもよい。これにより、明け方から白昼にかけての様々な時間帯の自然光あるいは様々な室内照明光と色温度が同じ照明光を再現することができる。特に、ダイヤル式の回転操作と組み合わせれば、操作部の回転操作により、低い色温度から高い色温度への段階的な色温度の調整ができるように構成でき、その際、回転操作の角度位置を色温度の高さに結び付けた操作ができる（アナログ時計の文字盤の位置に対応する位置でその時間帯の色温度が照射できるようにすることを含む。）ため、極めて操作性が高い。回転操作の角度位置を色温度の高さに結び付けた優れた操作性は、携帯型照明装置に限らず、ＬＥＤ光源の照明光の色温度の調整一般に用いることができるものである。
【００４７】
また、色の見え方が気にならないような使い方をするのであれば、ＬＥＤ光源は、必ずしも平均演色評価数Ｒａが高くなくてもよい。平面に吸着させてそのまま操作部を操作することにより光源を点灯させる操作性のよさは、ＬＥＤ光源の色温度や演色評価に縛られることなく、任意の光源に対して応用可能である。その場合は、人の顔を照明することに用途が限定される必要はない。
【００４８】
操作性に関して言えば、上記の実施例では、本体２の前面側が全て操作部２１とされる構成であるが、外周面のみに操作部を設ける構成（例えば本体にスリーブ状の操作部が外嵌され、操作部が本体に対して回転操作可能な構成などを含む。）としてもよいし、外周面の一部にスライド式のスイッチのような操作部を設ける構成としてもよい。また、操作部を回転操作するのではなく、操作部を本体の底部に向けて押し込む又は引張ることでＬＥＤ光源を点灯させ、その逆の操作でＬＥＤ光源を消灯する構成としてもよいし、操作部と本体との間に介装されたバネ（付勢部材）に抗して操作部を本体の底部に向けて押し込む（操作部の押し動作）と、バネの力で操作部が元の位置に戻る（操作部の戻し動作）プッシュ式の操作により、ＬＥＤ光源の点灯、照明光の選択、消灯が繰り返されるような構成としてもよい。要は、操作部を底部に対して相対移動させることによりＬＥＤ光源が点灯し、照明光が選択されるように構成されていればよく、特にその際、操作部が本体の前面側のかなりの領域を占め、好ましくは少なくとも外側の面を占め、片手などによる操作が容易であればよい。
【００４９】
また、上記の実施例では、照明光を拡散するのにディフューザを用いたが、照明光の照射範囲をある程度絞り込むためにレンズアレイやフレネルレンズによるレンズ拡散板を用いることもできる。
【００５０】
さらに、照明光の明るさについて言えば、上記の実施例では、３００ルクスの照明光が得られる構成としたが、バッテリーの使用時間が気にならないのであれば、１０００ルクス以上、特に２０００ルクスが得られるようにしてもよいし、二以上の明るさが切り替えられるようにしてもよい。逆に、暗い照明でも構わない用途であれば、３００ルクス未満の明るさを省エネモードとして選択できるようにしてもよい。
【００５１】
また、上記の実施例では、本体２が略円柱の形状とされていたが、略直方体に形成することもできる。例えば立方体として各面に意匠を施せばデザイン性にも優れている。ただ、円柱状に形成されている場合、握り易く感触もよいし、回転操作との相性もよい。
【００５２】
また、面状吸着部材が、磁性体の表面にも吸着するように、磁石シートとしても機能するように形成されていてもよい。吸着させる面が磁石に付く性質を有している場合、磁性も利用して照明装置を吸着させることができる。
【００５３】
本発明は、この他にも様々な態様を組み合わせた実施が可能であり、それらが本発明の技術的範囲に含まれ得ることは言うまでもない。
【符号の説明】
【００５４】
１    携帯型化粧用ライト（携帯型照明装置）
２    本体
４    吸着シート（面状吸着部材）
６    ＬＥＤ光源
１０  ディフューザ
２１  操作部
２４  底部
６１  ＬＥＤ基板
６２  白昼光用ＬＥＤチップ（第一照明光のＬＥＤ光源）
６３  室内光用ＬＥＤチップ（第二照明光のＬＥＤ光源）
８６  板バネ電極
Ｔ１〜Ｔ８  電極ピン
【図１】
2019046598.tif 000003
【図２】
2019046598.tif 000004
【図３】
2019046598.tif 000005
【図４】
2019046598.tif 000006
【図５】
2019046598.tif 000007
【図６】
2019046598.tif 000008
【図７】
2019046598.tif 000009
【図８】
2019046598.tif 000010
【図９】
2019046598.tif 000011
【図１０】
2019046598.tif 000012
【図１１】
2019046598.tif 000013
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
人顔を照明するための携帯型化粧用ライトであって、
携帯可能な本体と、
前記本体の前面側から白昼の自然光相当の色温度である５０００〜６０００Ｋの色温度かつ平均演色評価数Ｒａが少なくとも９６の第一照明光が照射可能とされたＬＥＤ光源とを備え、
前記本体は、軸線を回転の軸とした回転体の外形を有した略円柱状とされ、当該回転体の外周面から前面にかけて延在する前面側の操作部と、前記本体を挟んで前記前面側とは反対側の背面側の底部とから構成され、当該底部に対して前記操作部が相対移動可能とされ、前記操作部は、前記相対移動のために、前記本体の軸線周りに回転可能とされ、前記操作部を前記底部に対して前記軸線周りに回転させることにより前記ＬＥＤ光源が点灯するように構成され、
前記底部に、平らな鏡の表面に着脱自在に吸着可能な面状吸着部材が設けられ、
前記面状吸着部材は、ミクロ吸盤シートまたは平らな鏡の表面との間の空気を追い出して吸着するシートとされ、前記本体を前記面状吸着部材により平らな鏡の表面に吸着させたまま片手で前記操作部を把持して前記底部に対して回転させることが可能な構成とされている携帯型化粧用ライト。
【請求項２】
前記ＬＥＤ光源は、室内照明光相当の色温度である２５００〜４０００Ｋの色温度かつ平均演色評価数Ｒａが少なくとも９６の第二照明光が前記本体の前面側から照射可能とされ、前記第一照明光と前記第二照明光とが、前記操作部を前記底部に対して前記軸線周りに回転させることにより個別に又は同時に選択可能に構成されていることを特徴とする請求項１に記載の携帯型化粧用ライト。
【請求項３】
前記ＬＥＤ光源は、ＬＥＤチップを有し、前記本体の前記ＬＥＤ光源の前面側には、前記ＬＥＤチップから照射される光を拡散させるディフューザが設けられていることを特徴とする請求項１または２に記載の携帯型化粧用ライト。
【請求項４】
請求項１から３のいずれかに記載の携帯型化粧用ライトを用いた人顔照明方法であって、鏡に映った使用者自身の顔の上のあたりの位置において前記携帯型化粧用ライトを鏡面に吸着させ、そのまま吸着させた位置から動かさないようにして前記携帯型化粧用ライトのＬＥＤ光源を点灯し、鏡に映った顔が見やすくなるように使用者自身の顔を照明する人顔照明方法。